(57)【要約】【課題】ロール状に巻回した際の積層厚みを低減することができるスクリーン及びスクリーン装置を提供する。【解決手段】スクリーン１０は、経糸２４と緯糸２２とを製織して形成され、ロール状に巻回される。スクリーン１０は、一面１０ａでは、緯糸２２が経糸２４を複数本跨いだ状態で織られ、他面１０ｂでは、経糸２４が緯糸２２を複数本跨いだ状態で織られており、これによりロール状に巻回させた際の積層厚みを低減できる。【選択図】図２
2019138134.tif 000002
【特許請求の範囲】
【請求項１】
経糸と緯糸とを製織して形成され、ロール状に巻回されるスクリーンであって、
一面では、前記緯糸が前記経糸を複数本跨いだ状態で織られ、
他面では、前記経糸が前記緯糸を複数本跨いだ状態で織られていることを特徴とするスクリーン。
【請求項２】
請求項１に記載のスクリーンにおいて、
当該スクリーンは、前記経糸の長手方向に沿ってロール状に巻取りされるものであり、
前記緯糸の直径が前記経糸の直径よりも大きいことを特徴とするスクリーン。
【請求項３】
請求項１又は２に記載のスクリーンにおいて、
前記一面では、隣接する前記緯糸間で、前記緯糸と前記経糸との織目が前記緯糸の長手方向に位置ずれしていることを特徴とするスクリーン。
【請求項４】
請求項１〜３のいずれか１項に記載のスクリーンにおいて、
前記一面では、前記緯糸が前記経糸を４本以上跨いでおり、
前記他面では、前記経糸が前記緯糸を４本以上跨いでいることを特徴とするスクリーン。
【請求項５】
請求項１〜４のいずれか１項に記載のスクリーンにおいて、
前記緯糸の直径が前記経糸の直径よりも大きく構成され、
隣接する前記緯糸間に、前記緯糸よりも直径が小さい補助緯糸を有し、
前記補助緯糸は、前記経糸と融着されていることを特徴とするスクリーン。
【請求項６】
請求項１〜５のいずれか１項に記載のスクリーンにおいて、
前記経糸は、芯部の周囲に鞘部を設けた２層構造の糸であり、
前記緯糸は、単層構造の糸であることを特徴とするスクリーン。
【請求項７】
請求項１〜６のいずれか１項に記載のスクリーンと、該スクリーンを巻取り可能且つ送出し可能なロールとを備えることを特徴とするスクリーン装置。
【発明の詳細な説明】
【技術分野】
【０００１】
本発明は、建物の日除けや網戸として利用されるスクリーン及びスクリーン装置に関する。
【背景技術】
【０００２】
住宅や店舗等の建物の窓やテラスには、日除けや目隠しとなるスクリーンが設置されることがある。この種のスクリーンとしては、経糸と緯糸とを平織りした構成がある（例えば特許文献１参照）。
【先行技術文献】
【特許文献】
【０００３】
【特許文献１】特開２０１４−２２４３７４号公報
【発明の概要】
【発明が解決しようとする課題】
【０００４】
通常、上記のようなスクリーンは、窓の上部に設けられた本体ボックス内のロールに対して巻取り可能且つ送出し可能に巻き掛けられて使用される。このため、ロールに巻き取られたスクリーンの積層厚みが厚くなると、本体ボックスを大型化する必要がある。すなわち、上記特許文献１のスクリーンは、経糸と緯糸が平織りされているため、ロールに巻き取った際に上の層と下の層の織目（交点）が重なって積層厚みが増大する。そして、このような問題は、他の用途のスクリーン、例えばロール式網戸等でも同様に起こり得る。さらに、ロール式網戸ではない通常の框体にネットを固定した網戸であっても、製造工程ではネットをロール状に巻回して保管や運搬を行うため、巻回した際の積層厚みを可及的に低減したいという要望がある。
【０００５】
本発明は、上記従来技術の課題を考慮してなされたものであり、ロール状に巻回した際の積層厚みを低減することができるスクリーン及びスクリーン装置を提供することを目的とする。
【課題を解決するための手段】
【０００６】
本発明に係るスクリーンは、経糸と緯糸とを製織して形成され、ロール状に巻回されるスクリーンであって、一面では、前記緯糸が前記経糸を複数本跨いだ状態で織られ、他面では、前記経糸が前記緯糸を複数本跨いだ状態で織られていることを特徴とする。
【発明の効果】
【０００７】
本発明によれば、ロール状に巻回した際のスクリーンの積層厚みを低減することができる。
【図面の簡単な説明】
【０００８】
【図１】本発明の一実施形態に係るスクリーンを用いたスクリーン装置を建物に設置した状態を模式的に示す側面図である。
【図２】図２（Ａ）は、スクリーンを一面から見た模式図であり、図２（Ｂ）は、スクリーンを他面から見た模式図である。
【図３】図３（Ａ）は、補助緯糸を設けた構成のスクリーンを一面から見た模式図であり、図３（Ｂ）は、補助緯糸を設けた構成のスクリーンを他面から見た模式図である。
【図４】図３に示すスクリーンを経糸の長手方向に直交する方向で切断した断面形状の模式図である。
【図５】別の補助緯糸を設けた構成のスクリーンを他面から見た模式図である。
【発明を実施するための形態】
【０００９】
以下、本発明に係るスクリーンについて、これを用いたスクリーン装置を例示して好適な実施の形態を挙げ、添付の図面を参照しながら詳細に説明する。
【００１０】
図１は、本発明の一実施形態に係るスクリーン１０を用いたスクリーン装置１２を建物１４に設置した状態を模式的に示す側面図である。本実施形態では、住宅や店舗等の建物１４の窓１４ａの室外側で昇降可能に設けられ、窓１４ａへの日差しを遮蔽する日除けとして機能するスクリーン１０を例示する。スクリーン１０は、窓１４ａの室内側で昇降して日差しを遮蔽するロールスクリーン、開放した窓１４ａからの埃や虫の侵入を防止する網戸等に用いることもできる。
【００１１】
図１に示すように、スクリーン装置１２は、スクリーン１０を巻取り可能且つ送出し可能なロール１６と、ロール１６を収納する本体ボックス１８とを備える。スクリーン装置１２は、窓１４ａの上部外壁面に取り付けられた本体ボックス１８からスクリーン１０を下方に引き出すことにより、窓１４ａの室外側を覆い隠すことができる。ロール１６は、スクリーン１０を巻き取る回転方向に弾性付勢されている。ロール１６から引き出されたスクリーン１０は、例えばテラス等の床面１４ｂにフック２０を用いて下端部を係止できる。これによりスクリーン１０は、下端がフック２０で支持された状態で上端がロール１６からの巻取り方向の張力を受けるため、上下方向に十分な張力で緩みなく張ることができる。
【００１２】
図２（Ａ）は、スクリーン１０を一面１０ａから見た模式図であり、図２（Ｂ）は、スクリーン１０を他面１０ｂから見た模式図である。図２（Ａ）及び図２（Ｂ）に示すように、スクリーン１０は、経糸２４と緯糸２２とを網目状に製織して形成されたネットである。本実施形態では、経糸２４と緯糸２２とが異なる色で形成された構成を例示しているが、経糸２４と緯糸２２とは同一色で構成されてもよい。図１に示すように、スクリーン１０は、一方側の面である一面１０ａが建物１４の室外側に配置され、他方側の面である他面１０ｂが建物１４の室内側に配置される。
【００１３】
経糸２４は、ロール１６に対する巻取り方向及び送出し方向に沿って延びた糸である。緯糸２２は、経糸２４に対して直交する方向に沿って延びた糸である。つまり図１に示すスクリーン装置１２では、ロール１６から引き出したスクリーン１０の上下方向に経糸２４が延在し、左右方向（幅方向）に緯糸２２が延在する。本実施形態の場合、経糸２４及び緯糸２２は、１６５（℃）程度の高融点を示すポリプロピレン（芯部）の周囲に１３０（℃）程度の低融点を示すポリプロピレン（鞘部）を２層に押出成形した芯鞘構造のモノフィラメントの糸を用い、経糸２４と緯糸２２とを重なり合う織目２６及び交点２８で互いに融着（熱融着）させた構造としている。このような芯鞘構造のポリプロピレンのモノフィラメントの糸としては、例えば芯部のＭＦＲ（粘度）が２．５（ｇ／１０ｍｉｎ）、鞘部のＭＦＲ（粘度）が７．０（ｇ／１０ｍｉｎ）のものを用いてもよい。モノフィラメントの糸を用いることにより、各糸２２，２４の重量を低減できる。交点２８等が融着されることにより、製品での織目２６や各糸２２，２４の位置ずれを防止できると共に、スクリーン１０自体の厚みも低減できる。経糸２４及び緯糸２２の直径は、例えば０．１０〜０．５０（ｍｍ）程度とされる。本実施形態では経糸２４の直径を０．１５（ｍｍ）とし、緯糸２２の直径を０．３０（ｍｍ）としている。なお、図２（Ａ）及び図２（Ｂ）では、経糸２４及び緯糸２２の形状等を誇張して図示しているが、実際の製品では、例えば経糸２４及び緯糸２２は１インチ四方に２０〜１００本程度設けられる。また、経糸２４や緯糸２２に、紫外線吸収剤、光安定剤、酸化防止剤、滑剤、帯電防止剤、難燃剤等の各種添加剤を配合してもよい。
【００１４】
緯糸２２は、芯鞘構造ではなく、例えば高融点（１６５（℃））を示すポリプロピレンによる単層構造のモノフィラメントで形成されてもよい。これにより緯糸２２は、成形用の金型や成形条件が簡素化され、押出機の台数も１台とすることができ、製造コストを大幅に低減できる。しかも、緯糸２２が単層構造の場合、高価な低融点（１３０（℃））のポリプロピレンを使用しないため、コストを一層低減できる。
【００１５】
図２（Ａ）に示すように、一面１０ａでは、織目２６を除いて緯糸２２の裏側に経糸２４が配置され、緯糸２２が４本の経糸２４を跨いだ状態で経糸２４と織られている。つまり織目２６は、緯糸２２の長手方向に沿って並んでおり、その間隔は経糸２４の４本分である。このため、一面１０ａでは、緯糸２２の露出割合（表面積）が経糸２４の露出割合よりも大きい。特に、本実施形態の場合は、緯糸２２が経糸２４よりも太い。その結果、一面１０ａでは、経糸２４及び緯糸２２の露出面積に対し、緯糸２２の露出割合が７０％程度となるように設定されている。
【００１６】
図２（Ｂ）に示すように、他面１０ｂでは、織目２６を除いて経糸２４の裏側に緯糸２２が配置され、経糸２４が４本の緯糸２２を跨いだ状態で緯糸２２と織られている。つまり織目２６は、経糸２４の長手方向に沿って並んでおり、その間隔は緯糸２２の４本分である。このため、他面１０ｂでは、経糸２４の露出割合（表面積）が一面１０ａでの露出割合よりも大きくなっており、経糸２４及び緯糸２２の露出面積に対し、例えば経糸２４の露出割合が５０％程度となるように設定されている。
【００１７】
一面１０ａにおいて緯糸２２が経糸２４を跨ぐ本数は、綾織や朱子織等と呼ばれるような織り方によって２本以上とされればよいが、多すぎると織目２６の配置間隔が長くなり過ぎて融着工程前に経糸２４と緯糸２２とが位置ずれする懸念があり、少なすぎると緯糸２２の露出割合が低下する。そこで、緯糸２２は、例えば経糸２４を３〜５本毎に跨ぐ構成が好ましく、特に上記のように経糸２４を４本毎に跨ぐ構成が最も好ましい。他面１０ｂにおいて経糸２４が緯糸２２を跨ぐ本数についても同様でよい。
【００１８】
このようにスクリーン１０は、一面１０ａでは緯糸２２が複数本の経糸２４を跨ぎ、他面１０ｂでは経糸２４が複数本の緯糸２２を跨いでいる。このため、隣接する緯糸２２，２２間で織目２６が経糸２４の長手方向に連続することがなく、ロール１６に巻き取った際の積層厚みが低減される。特に、本実施形態の場合は、隣接する緯糸２２，２２間で、緯糸２２と経糸２４との織目２６が緯糸２２の長手方向に位置ずれしており、具体的には織目２６が経糸２４の１本分ずつ順にずれている。このため、図２（Ａ）及び図２（Ｂ）に示すように、織目２６が斜めに規則的に並ぶことになり、ロール１６に巻き取った際に重なる層間で織目２６が重ならずに緯糸２２の長手方向に順に位置ずれするため、積層厚みが一層低減される。このように積層厚みを低減できる効果は、図１に示すようなロール構造のスクリーン装置１２やロール式網戸に留まらない。つまり、框体にスクリーンを固定する一般的な構造の網戸であっても、その製造時にはスクリーンを巻回して保管及び運搬するため、巻回した際の積層厚みの低減効果は保管や運搬時等に効果がある。
【００１９】
上記したように、スクリーン１０は、経糸２４と緯糸２２とが異なる色で形成されており、例えば染色や原着によって着色されている。具体的には、経糸２４と緯糸２２とは、肉眼で色の違いを判別できるレベルの色差、例えば（Ｌ＊ａ＊ｂ表色系）で色差ΔＥが３以上、好ましくは４〜１５程度を有する。本実施形態のスクリーン１０では、室外側の一面１０ａで露出割合が大きくなる緯糸２２の色を、室内側の他面１０ｂで露出割合が増える経糸２４の色よりも高い明度に設定している。例えば、経糸２４はブラックとされ、緯糸２２はグレー、ライドグレー、クリーム、ベージュ、グリーン、ブラウン等の任意の色とされる。その結果、一面１０ａは緯糸２２の色が強く出た明るい色となり、他面１０ｂは経糸２４の色が強く出た暗く濃い色となる。
【００２０】
従って、スクリーン１０は、一面１０ａや他面１０ｂにコーティング剤による着色を施すことなく色違いに構成することができる。このため、スクリーン１０は、コーティング剤に含まれるオイルによる色変化や汚れ付着等の品質低下を防止して高い製品品質を確保できると共に、着色工程の省略やコーティング剤の不使用によるコスト低減も可能となる。しかもスクリーン１０を用いたスクリーン装置１２は、図１に示すように、色が明るい一面１０ａでは、その外観品質が向上するだけでなく、屋外からの日差しを効率よく反射できると共に室内に対する遮蔽性能及び目隠し性能が高まり、色が暗い他面１０ｂでは、室内側への光の反射が抑えられると共に室外を見透し易い構造となり、スクリーン１０を網戸として用いた場合も同様な効果が期待できる。
【００２１】
スクリーン１０は、ロール１６への巻回方向に沿う経糸２４を緯糸２２よりも細い糸で構成している。このため、ロール１６に巻き取った際の積層厚みが一層低減されると共に、ロール１６での巻取り力を低減して巻取り自体が円滑となる。しかもスクリーン１０は、ロール１６からの送出し方向に直交し、ロール１６からの張力が付与されない左右方向に延びた緯糸２２を経糸２４よりも太い糸で構成している。このため、緯糸２２自体の張力（剛性）を十分に確保でき、図１に示すような使用時に経糸２４に沿う上下方向だけでなく、緯糸２２に沿う左右方向にも緩みや撓みなく張ることができる。
【００２２】
また、スクリーン１０は、例えば直径０．１５（ｍｍ）の芯鞘構造の経糸２４を７８（本／インチ）とした面と、直径０．３０（ｍｍ）の芯鞘構造又は単層構造の緯糸２２を７８（本／インチ）とした面との２面構造となり、高い遮蔽性能を有する。
【００２３】
ところで、本実施形態のスクリーン１０は、緯糸２２を経糸２４よりも太いものとしているため、隣接する緯糸２２，２２間の隙間Ｃ１が隣接する経糸２４，２４間の隙間Ｃ２よりも増大する傾向にある。そこで、この広い隙間Ｃ１が遮蔽性能を低下させることを防止するため、スクリーン１０は隙間Ｃ１に別の緯糸（補助緯糸３０）を追加した構成としてもよい。
【００２４】
図３（Ａ）は、補助緯糸３０を設けた構成のスクリーン１０を一面１０ａから見た模式図であり、図３（Ｂ）は、補助緯糸３０を設けた構成のスクリーン１０を他面１０ｂから見た模式図である。図４は、図３に示すスクリーン１０を経糸２４の長手方向に直交する方向で切断した断面形状の模式図である。なお、図３及び図４に示すスクリーン１０において、図１及び図２に示すスクリーン１０の参照符号と同一の参照符号は、同一又は同様な構成を示し、このため同一又は同様な機能及び効果を奏するものとして詳細な説明を省略し、後述する図５に示すスクリーン１０についても同様とする。
【００２５】
図３（Ａ）及び図３（Ｂ）に示すように、補助緯糸３０は、緯糸２２と平行に延在しており、緯糸２２，２２間の隙間Ｃ１を埋めるように配置されている。補助緯糸３０は、例えば一面１０ａから見た場合に経糸２４の裏側に配置され、緯糸２２と同様に複数本（図３では４本）の経糸２４を跨いだ状態で経糸２４と織られている。つまり補助緯糸３０と経糸２４との織目３２は、補助緯糸３０の長手方向に沿って並んでおり、その間隔は経糸２４の４本分である。織目３２の間隔は、上記した織目２６の場合と同様に変更してもよい。
【００２６】
本実施形態の場合、補助緯糸３０は、経糸２４と同一のもの、つまり経糸２４と同形状且つ同色のものを用いている。つまり補助緯糸３０は、例えば直径０．１５（ｍｍ）の芯鞘構造のポリプロピレンのモノフィラメントの糸である。補助緯糸３０は、経糸２４と異なる形状且つ異なる色のものを用いてもよい。但し、補助緯糸３０は、隙間Ｃ１を塞いでスクリーン１０の遮蔽性能を高めるためのものであるため、経糸２４と同色であるブラックや、これと略同色に見える同等色、例えばダークグレー等が好ましい。なお、補助緯糸３０は、隙間Ｃ１を埋めているに過ぎないため、一面１０ａでの色味に影響を及ぼすことはほとんどない。
【００２７】
補助緯糸３０は隙間Ｃ１を塞ぐと共に、図４に示すように緯糸２２との間に経糸２４を挟み込むサンドイッチ構造を構築する。このため、スクリーン１０は、補助緯糸３０を設けることにより、融着工程前に経糸２４と緯糸２２とが位置ずれすることをより確実に防止できる効果も得られる。また、この構成例のスクリーン１０では、例えば直径０．１５（ｍｍ）の芯鞘構造の経糸２４を７８（本／インチ）とした面と、直径０．３０（ｍｍ）の芯鞘構造又は単層構造の緯糸２２を７８（本／インチ）とした面と、直径０．１５（ｍｍ）の芯鞘構造の補助緯糸３０を７８（本／インチ）とした面とによる３面構造となり、一層高い遮蔽性能を有する。
【００２８】
補助緯糸３０は、融着工程において織目３２や経糸２４との交点３３で経糸２４と融着されるため、製品段階で位置ずれを生じることもない。なお、本実施形態の緯糸２２は、経糸２４よりも相当に太いため、経糸２４との融着強度は、同径同士の融着強度に比べて弱い傾向にある。この点、この構成例では、同径の補助緯糸３０と経糸２４とが強固に融着され、しかも補助緯糸３０が緯糸２２と複雑に絡みついているため、目ずれの発生をより確実に防止できる。
【００２９】
図５に示すように、スクリーン１０は、図３に示す補助緯糸３０に代えて、又は補助緯糸３０と併用し、別の緯糸（補助緯糸３４）を追加した構成としてもよい。補助緯糸３４は、例えば他面１０ｂから見た場合に緯糸２２（及び経糸２４）の表側、つまり一面１０ａから見た場合に緯糸２２（及び経糸２４）の裏側に配置され、補助緯糸３０と同様に複数本（図５では４本）の経糸２４を跨いだ状態で経糸２４と織られている。このため、補助緯糸３４と経糸２４との織目３６は、補助緯糸３４の長手方向に沿って並んでおり、その間隔は経糸２４の４本分である。織目３６の間隔は、上記した織目２６，３２の場合と同様に変更してもよい。
【００３０】
本実施形態の場合、補助緯糸３４は、経糸２４と同一のもの、つまり経糸２４と同形状且つ同色のものを用いている。つまり補助緯糸３４は、例えば直径０．１５（ｍｍ）の芯鞘構造のポリプロピレンのモノフィラメントの糸である。補助緯糸３４は、経糸２４と異なる形状且つ異なる色のものを用いてもよいが、経糸２４と同色であるブラックや、これと略同色に見える同等色、例えばダークグレー等が好ましい。これによりスクリーン１０では、補助緯糸３４が他面１０ｂにおける緯糸２２の露出を隠し、同時に経糸２４と同等色の露出割合を増加させるため、他面１０ｂでの室内側への光の反射が一層抑えられる。図５に示す構成例では、他面１０ｂでの経糸２４、緯糸２２及び補助緯糸３４の露出面積に対し、例えば経糸２４及び補助緯糸３４の露出割合が７０％程度となるように設定されている。勿論、補助緯糸３４を用いた構成の場合でも、図４に示す補助緯糸３０の場合と略同様に、緯糸２２との間に経糸２４を挟み込むサンドイッチ構造が構築されるため、経糸２４と緯糸２２とが位置ずれすることをより確実に防止できる効果も得られる。補助緯糸３４は、融着工程において織目３６や経糸２４との交点３７で経糸２４と融着されるため、上記した補助緯糸３０の場合と同様に目ずれの発生を防止できる。
【００３１】
以上のようなスクリーン１０は、図１に示すように日除けとして用いる場合、一面１０ａと他面１０ｂとを貫通する開口の面積がスクリーン１０の単位表面積に占める割合（開口率）は、例えば５〜１５％程度に設定される。そこで、この開口率５〜１５％を直径０．１５（ｍｍ）の経糸２４と、直径０．３０（ｍｍ）の緯糸２２とで構築する場合、経糸２４は１インチ四方に５０〜９０本程度設け、緯糸２２は１インチ四方に２０〜７０本程度設けて製織されるとよい。略同様に、スクリーン１０を網戸として用いる場合、開口率は、例えば６０〜８０％程度に設定され、経糸２４及び緯糸２２はこの開口率を確保できる本数及び間隔で製織されればよい。
【００３２】
本発明に係るスクリーンは、経糸と緯糸とを製織して形成され、ロール状に巻回されるスクリーンであって、一面では、前記緯糸が前記経糸を複数本跨いだ状態で織られ、他面では、前記経糸が前記緯糸を複数本跨いだ状態で織られていることを特徴とする。このような構成によれば、隣接する緯糸間で織目が位置ずれするため、ロール状に巻回した際、積層される層間で織目が重なることを防止でき、積層厚みを低減できる。
【００３３】
本発明に係るスクリーンにおいて、当該スクリーンは、前記経糸の長手方向に沿ってロール状に巻取りされるものであり、前記緯糸の直径が前記経糸の直径よりも大きい構成としてもよい。そうすると、巻取り方向に沿う経糸が緯糸よりも細い糸で構成されることにより、ロール状に巻き取った際の積層厚みが一層低減されると共に、巻取り力を低減して巻取り自体が円滑となる。しかも巻取り方向に直交する緯糸が太い糸で構成されることにより、当該スクリーンを平面状に開いた際、緯糸自体の剛性によって左右幅方向に沿う張力を確保できるため、左右方向に緩みや撓みなく張ることができる。
【００３４】
本発明に係るスクリーンにおいて、前記一面では、隣接する前記緯糸間で、前記緯糸と前記経糸との織目が前記緯糸の長手方向に位置ずれした構成としてもよい。そうすると、ロール状に巻き取った際に積層される層間で織目が重なることを一層確実に防止でき、積層厚みを一層確実に低減できる。
【００３５】
本発明に係るスクリーンにおいて、前記一面では、前記緯糸が前記経糸を４本以上跨いでおり、前記他面では、前記経糸が前記緯糸を４本以上跨いだ構成としてもよい。そうすると、ロール状に巻き取った際に積層される層間で織目が重なることをより一層確実に防止でき、積層厚みをより一層低減できる。
【００３６】
本発明に係るスクリーンにおいて、前記緯糸の直径が前記経糸の直径よりも大きく構成され、隣接する前記緯糸間に、前記緯糸よりも直径が小さい補助緯糸を有し、補助緯糸は、前記経糸と融着された構成としてもよい。そうすると、緯糸間の隙間を補助緯糸で隠すことができ、当該スクリーンの遮蔽性能を向上させることができ、さらに目ずれの発生を抑制できる。
【００３７】
本発明に係るスクリーンにおいて、前記経糸は、芯部の周囲に鞘部を設けた２層構造の糸であり、前記緯糸は、単層構造の糸で構成してもよい。そうすると、緯糸及び当該スクリーンの製造コストを低減できる。
【００３８】
本発明に係るスクリーン装置は、上記構成のスクリーンと、該スクリーンを巻取り可能且つ送出し可能なロールとを備えることを特徴とする。このような構成によれば、ロールで巻き取った際のスクリーンの積層厚みを低減でき、装置の小型化が可能となる。
【００３９】
なお、本発明は、上記した実施形態に限定されるものではなく、本発明の主旨を逸脱しない範囲で自由に変更できることは勿論である。
【００４０】
例えば上記実施形態では、建物１４の室外側に配置される一面１０ａで緯糸２２の露出割合を増やし、他面１０ｂで経糸２４の露出割合を増やした構成としたが、他面１０ｂで緯糸２２の露出割合を増やし、一面１０ａで経糸２４の露出割合を増やした構成としてもよく、他面１０ｂで経糸２４の露出割合が緯糸２２の露出割合よりも大きく構成されてもよい。また、経糸２４を緯糸２２よりも明るい色に設定してもよい。
【符号の説明】
【００４１】
１０  スクリーン、１０ａ  一面、１０ｂ  他面、１２  スクリーン装置、１４  建物、１４ａ  窓、１４ｂ  床面、１６  ロール、１８  本体ボックス、２２  緯糸、２４  経糸、２６，３２，３６  織目、２８，３３，３７  交点、３０，３４  補助緯糸
【図１】
2019138134.tif 000003
【図２】
2019138134.tif 000004
【図３】
2019138134.tif 000005
【図４】
2019138134.tif 000006
【図５】
2019138134.tif 000007